(57)【特許請求の範囲】
【請求項１】
前表面が備わる水受け部と、前記水受け部の前表面の両側と底辺から前方に伸ばされる延伸部と、前記延伸部から上に向けて延伸して、左右にそれぞれ設置される第一ブロックと第二ブロック、及び前記第一ブロックと前記第二ブロックの間で上に伸ばされた高さが前記第一ブロックと前記第二ブロックより低い支持部を有し、前記前表面が前記第一ブロックと前記第二ブロック及び前記支持部に対して一定の間隔が置かれてシャワーヘッドのネックが前記支持部に引掛けられるように収容される収容空間が形成されて、前記延伸部の底辺に前記収容空間と連通する排水部が備えて、前記シャワーヘッドのネックが前記支持部に引掛けられた場合、前記前表面が前記シャワーヘッドから流れ出す水を受けるフック部と、が含まれる水回収フックと、
前記水受け部の前表面に設置され、前記シャワーヘッドのネックが前記支持部に引掛けられた状態で前記シャワーヘッドから流れ出す水の温度を計測する温度センサーユニットと、
前記水受け部の上に取り付けされる接合部と、前記接合部から上に伸ばされる上凸部と、前記接合部から前方に伸ばされて前記収容空間の上で形成する前凸部と、が含まれる取り付け部材と、
前記温度センサーユニットに電気的に接続されて、かつ前記前凸部の上表面に取り付けされるソーラーエネルギーモジュールと、
前記ソーラーエネルギーモジュール及び前記温度センサーユニットに電気的に接続されて、前記上凸部の前方側の表面に設置される温度表示ユニットと、
が含まれることを特徴とする改良型シャワーヘッド用水回収装置。
【請求項２】
前記水回収フックの後表面に前記水回収フックの長手方向に沿って伸ばされ、かつ前記水回収フックの底部にスライドシュート進入端が形成される一対のスライドシュートと、
両側にそれぞれ縦方向に突起してスライドレールが形成される本体部及び前記本体部から伸びる支え部と引き部が含まれて、かつ前記支え部が前記水回収フックの後表面に伸ばされて対応ブロック部が形成される固定部材と、
がさらに含まれて、
前記水回収フックが前記スライドシュートに前記固定部材の前記本体部の両側のスライドレールを摺り合せて、かつ前記スライドシュートに前記固定部材の前記本体部の両側のスライドレールを摺り合せる過程において、前記支え部の前記対応ブロック部が前記水回収フックの後表面のブロック部を跨ぐように前記固定部材と前記本体部が前記スライドシュート内に取り付けられて、前記対応ブロック部が前記ブロック部に押し付けることにより前記固定部材が前記水回収フックと互いに位置合せして、前記引き部が押されることにより前記対応ブロック部が前記ブロック部から離れて前記固定部材の前記本体部が前記スライドシュートから抜け出されることを特徴とする請求項１に記載の改良型シャワーヘッド用水回収装置。
【請求項３】
前記温度表示ユニットが温度モニターであることを特徴とする請求項１に記載の改良型シャワーヘッド用水回収装置。
【請求項４】
前記排水部が上から下に向って徐々に縮小する漏斗状とすることを特徴とする請求項１に記載の改良型シャワーヘッド用水回収装置。
【請求項５】
一方が前記排水部と連接し、もう一方がパイプと連接する連接パイプがさらに含まれることを特徴とする請求項１また４に記載の改良型シャワーヘッド用水回収装置。
【請求項６】
前記連接パイプが前記パイプの一端に嵌るための嵌合部と、前記パイプのその一端を締め付け、かつ外周壁が前記排水部の内周壁と螺合する留め具とが含まれることを特徴とする請求項５に記載の改良型シャワーヘッド用水回収装置。
【請求項７】
一端が前記排水部と連接し、もう一端がシンクと連接する湾曲パイプがさらに含まれることを特徴とする請求項１また４に記載の改良型シャワーヘッド用水回収装置。
【発明の詳細な説明】
【技術分野】
【０００１】
本発明は、シャワーヘッド用水回収装置に関し、特に太陽光発電のシャワー用水回収装置に関する。
【背景技術】
【０００２】
シャワーヘッド用水回収装置は、風呂場の壁に固定され、使用者が風呂場でシャワーヘッドを使う時に、シャワーヘッドから流れ出す水を回収する装置である。
【０００３】
従来のシャワーヘッド用水回収装置には、温度センサーと温度モニターが含まれる。温度センサーはシャワーヘッドから流れ出す水の温度を測る。温度モニターは温度センサーが測った温度を示し、使用者は温度モニターを観察しシャワーヘッドから流れ出す水の温度を知ることができる。
【０００４】
従来のシャワーヘッド用水回収装置における温度センサーと温度モニターの電力源は、シャワーヘッド用水回収装置に設置されるバッテリーにより提供する。このため、頻繁にバッテリーを交換する必要があり、温度センサー及び温度モニターが作動し続けるようにする。しかしながら、バッテリーを定期的に交換することは使用者の不便になり、また、バッテリーの電力が切れると、温度センサーと温度モニターが作動し続けなくなる。故に、従来の技術を改良する必要がある。
【発明の概要】
【発明が解決しようとする課題】
【０００５】
故に、本発明の目的は改良型シャワーヘッド用水回収装置を提供する。定期的にバッテリーを交換する必要がなくなる上、温度センサーと温度モニターに電力を提供し、且つ温度センサーと温度モニターの電力がなくなったため作動しない状況にならないようにする。
【課題を解決するための手段】
【０００６】
上記の目的を達成するために、本発明は、前表面が備わる水受け部と、前記水受け部の前表面の両側と底辺から前方に伸ばされる延伸部と、前記延伸部から上に向けて延伸して、左右にそれぞれ設置される第一ブロックと第二ブロック、及び前記第一ブロックと前記第二ブロックの間で上に伸ばされた高さが前記第一ブロックと前記第二ブロックより低い支持部を有し、前記前表面が前記第一ブロックと前記第二ブロック及び前記支持部に対して一定の間隔が置かれてシャワーヘッドをネックが前記支持部に引掛けられるように収容される収容空間が形成されて、前記延伸部の底辺に前記収容空間と連通する排水部が備えられて、前記シャワーヘッドのネックが前記支持部に引掛けられた場合、前記前表面が前記シャワーヘッドから流れ出す水を受けるフック部と、が含まれる水回収フックと、
前記水受け部の前表面に設置され、前記シャワーヘッドのネックが前記支持部に引掛けられた状態で前記シャワーヘッドから流れ出す水の温度を計測する温度センサーユニットと、
前記水受け部の上に取り付けされる接合部と、前記接合部から上に伸ばされる上凸部と、前記接合部から前方に伸ばされて前記収容空間の上で形成する前凸部と、が含まれる取り付け部材と、
前記温度センサーユニットに電気的に接続されて、かつ前記前凸部の上表面に取り付けされるソーラーエネルギーモジュールと、
前記ソーラーエネルギーモジュール及び前記温度センサーユニットに電気的に接続されて、前記上凸部の前方側の表面に設置される温度表示ユニットと、
が含まれることを特徴とする改良型シャワーヘッド用水回収装置を提供する。
【０００７】
本発明の一つの実施例では、前記水回収フックの後表面に前記水回収フックの長手方向に沿って伸ばされ、かつ前記水回収フックの底部にスライドシュート進入端が形成される一対のスライドシュートと、
両側にそれぞれ縦方向に突起してスライドレールが形成される本体部及び前記本体部から伸ばされ支え部と引き部が含まれて、かつ前記支え部が前記水回収フックの後表面に伸ばされて対応ブロック部が形成される固定部材と、
がさらに含まれて、
前記水回収フックが前記スライドシュートに前記固定部材の前記本体部の両側のスライドレールを摺り合せて、かつ前記スライドシュートに前記固定部材の前記本体部の両側のスライドレールを摺り合せる過程において、前記支え部の前記対応ブロック部が前記水回収フックの後表面の前記ブロック部を跨るように前記固定部材が前記本体部を前記スライドシュート内に取り付けさせて、前記対応ブロック部が前記ブロック部に押し付けることにより前記固定部材が前記水回収装置と互いに位置合せして、前記引き部が押されることにより前記対応ブロック部が前記ブロック部から離れて前記固定部材の前記本体部が前記スライドシュートから抜け出されることを特徴とする改良型シャワーヘッド用水回収装置を提供する。
【０００８】
本発明の改良型シャワーヘッド用水回収装置の実施例の一つとして、前記温度表示ユニットが温度モニターである。
【０００９】
本発明の改良型シャワーヘッド用水回収装置の実施例の一つとして、前記排水部が上から下に向って徐々に縮小する漏斗状とする。
【００１０】
本発明の改良型シャワーヘッド用水回収装置の実施例の一つとして、一方が前記排水部と連接し、もう一方がパイプと連接する連接パイプがさらに含まれる。
【００１１】
本発明の改良型シャワーヘッド用水回収装置の実施例の一つとして、前記連接パイプが前記パイプの一端に嵌るための嵌合部と、前記パイプの一端を締め付け、かつ外周壁が前記排水部の内周壁と螺合する留め具とが含まれる。
【００１２】
本発明の改良型シャワーヘッド用水回収装置の実施例の一つとして、一端が前記排水部と連接し、もう一端がシンクと連接する湾曲パイプがさらに含まれる。
【発明の効果】
【００１３】
本発明の改良型シャワーヘッド用水回収装置は、次の効果を有する。本発明は、ソーラーエネルギーモジュールにより外部から光エネルギーを収集し、光エネルギーを電エネルギーに変換して、定期的にバッテリーを交換する必要がなくなる上、温度センサーユニット及び温度表示ユニットに給電し、且つ温度センサーと温度モニターの電力がなくなったため作動しない状況にならないようにすることによって、経済面と環境面において益を有する。且つ、前記ソーラーエネルギーモジュールは前記取り付け部材の前記前凸部に設置されるので、外部から光エネルギーを有効的に収集できる。前記温度表示ユニットは前記上凸部の前方側の表面に設置されるので、使用者は簡単に前記温度センサーユニットが測ったシャワーヘッドから流れ出す水の温度を知ることができる。なお、前記固定部材は風呂場の壁に取り付けて、前記水回収フックは前記スライドシュートにより前記固定部材の前記本体部の両側のスライドレールを摺り合せて、前記固定部材に固定されることができる。また、前記固定部材の前記引き部が押されることにより前記スライドシュートを前記固定部材の前記本体部から離脱して、前記水回収フックが風呂場の壁面から外すことができる。
【図面の簡単な説明】
【００１４】
【図１ａ】本発明の一つの実施例による改良型シャワーヘッド用水回収装置を示す概略図である。
【図１ｂ】本発明の実施例による改良型シャワーヘッド用水回収装置を示す別視角の概略図である。
【図２ａ】本発明の実施例による改良型シャワーヘッド用水回収装置においてシャワーヘッドが引掛けられた場合を示す概略図である。
【図２ｂ】本発明の実施例による改良型シャワーヘッド用水回収装置においてシャワーヘッドが引掛けられた場合を示す断面図である。
【図３】本発明の実施例による改良型シャワーヘッド用水回収装置を示す爆発図である。
【図４】本発明の第２実施例による改良型シャワーヘッド用水回収装置の電子回路を示すブロック図である。
【図５】本発明の第２実施例による改良型シャワーヘッド用水回収装置を示す概略図である。
【図６】本発明の第２実施例による改良型シャワーヘッド用水回収装置を壁に装置する場合を示す概略図である。
【発明を実施するための形態】
【００１５】
以下は図１ａ〜図６に基いて、本発明の実施形態について説明する。該当説明は本発明の実施形態の一つの例示にすぎず、本発明を限定するものではない。
【００１６】
図１ａ〜図６に示されるように、本発明の実施例による改良型シャワーヘッド用水回収装置１００には、水回収フック１、温度センサーユニット２、取り付け部材３、ソーラーエネルギーモジュール４と温度表示ユニット５が含まれる。
【００１７】
図１ａ〜図１ｂに示されるように、本発明の実施例による改良型シャワーヘッド用水回収装置１００において、水回収フック１は、水受け部１１と延伸部１２、及びフック部１３を含み、角が丸い直方体形状に形成される。水受け部１１は、前表面１１ａを有する。延伸部１２が、水受け部１１と、水受け部１１の前表面１１ａの両側及び底部、それぞれ前に伸ばされて水受け部１１とフック部１３の間で形成される。フック部１３は、左右それぞれ設置される第一ブロック１３１と第二ブロック１３２、及び第一ブロック１３１と第二ブロック１３２の間の支持部１３３を含み、延伸部１２から上に伸ばされる。
【００１８】
図１ａ〜図２ｂに示されるように、本発明の実施例による改良型シャワーヘッド用水回収装置１００において、支持部１３３の上に伸ばされた高さは、第一ブロック１３１の上に伸ばされた高さ、及び第二ブロック１３２の上に伸ばされた高さより短い。前表面１１ａが第一ブロック１３１と第二ブロック１３２及び支持部１３３に対してそれぞれ一定の間隔が置かれて、シャワーヘッドをネックＨ１が支持部に引掛けられるように収容される収容空間Ｓが、第一ブロック１３１と第二ブロック１３２、及び支持部１３３の間で形成される。収容空間Ｓは、シャワーヘッドＨから流れ出す水を収集する。
【００１９】
図１ａ〜図２ｂに示されるように、本発明の実施例による改良型シャワーヘッド用水回収装置１００において、シャワーヘッドのネックＨ１が支持部１３３に引掛けられた場合、前表面１１ａがシャワーヘッドＨから流れ出す水を受ける。延伸部１２の底面は収容空間Ｓと連通する排水部１３４を有する。具体的には、排水部１３４が上から下に向って徐々に縮小する漏斗状として、かつ排水部１３４の一端がパイプＷまたはシンクと連接することにより、収容空間Ｓが収集した水をパイプやシンクに流すことができる。
【００２０】
図１ａ〜図２ｂに示されるように、本発明の実施例による改良型シャワーヘッド用水回収装置１００において、温度センサーユニット２が水受け部１１の前表面１１ａに設置されており、シャワーヘッドのネックＨ１が支持部１３３に引掛けられた場合でシャワーヘッドＨから流れ出す水の温度を測る。
【００２１】
図１ａ〜図２ｂに示されるように、本発明の実施例による改良型シャワーヘッド用水回収装置１００において、取り付け部材３は、水受け部１１の上に取り付けられる接合部３１と、接合部３１から上へ伸びて形成した上凸部３２と、接合部３１から前へ伸びて、収容空間Ｓの上で形成した前凸部３３を含む。
【００２２】
図１ａ〜図２ｂに示されるように、本発明の実施例による改良型シャワーヘッド用水回収装置１００において、温度センサーユニット２に電気的に接続され、かつ前凸部３３の上表面３３ａに取り付けされるソーラーエネルギーモジュール４は、取り付け部材３の上からの光エネルギーを効率的に収集し、電力に変換することで、温度センサーユニット２と温度表示ユニット５に給電できる。
【００２３】
図１ａ、２ａ、及び図４に示されるように、本発明の実施例による改良型シャワーヘッド用水回収装置１００において、ソーラーエネルギーモジュール４及び温度センサーユニット２に電気的に接続される温度表示ユニット５は、上凸部３２の前方側の表面３２ａに取り付けられることによって、使用者が簡単に温度表示ユニット５に示された温度数値を知ることができる。温度表示ユニット５は、例えば、液晶ディスプレイなどの温度モニターである。
【００２４】
図３に示されるように、本発明の実施例による改良型シャワーヘッド用水回収装置１００において、水回収フック１は、さらにスライドシュート１４１ａ，１４１ｂ、及び固定部材１５を含む。スライドシュート１４１ａ，１４１ｂは、水回収フック１の後表面に水回収フック１の長手方向に沿って伸びて、水回収フック１の底部にスライドシュート進入端１４２が形成される。ブロック部１４２ａが、水回収フック１の後表面にスライドシュート進入端１４２の対応位置に形成される。具体的には、本実施例において、ブロック部１４２ａの突き出す高さは、一定的に変化するように水回収フック１の底部から水回収フック１の頂部へ突出し、ブロック部１４２ａに斜面が形成され、ブロック部１４２ａの断面形状が上下逆の直角三角形になる。
【００２５】
図３に示されるように、本発明の実施例による改良型シャワーヘッド用水回収装置１００において、固定部材１５は、本体部１５１及び本体部１５１から順に伸びる支え部１５２と引き部１５３を含む。支え部１５２と引き部１５３の間には鈍角が形成される。本体部１５１の両側それぞれ本体部の縦軸方向に沿って伸びて、両側にスライドレール１５１ａとスライドレール１５１ｂが形成される。支え部１５２は水回収フック１の後表面に伸びて対応ブロック部１５２ａを形成する。本実施例において、対応ブロック部１５２ａの突き出す高さは、一定的に変化するように固定部材１５の底部から水回収フック１の頂部へ突出し、対応ブロック部１５２ａに斜面が形成され、対応ブロック部１５２ａの断面形状が直角三角形になる。
【００２６】
図２ｂ及び図３に示されるように、本発明の実施例による改良型シャワーヘッド用水回収装置１００において、固定部材１５が、本体部１５１両側のスライドレール１５１ａ，１５１ｂにより、スライドシュート進入端１４２からスライドシュート１４１ａ，１４１ｂに入れて、水回収フック１の背面と連接される。また、スライドレール１５１ａ，１５１ｂにスライドシュート１４１ａ，１４１ｂと連接される過程において、水回収フック１は、ブロック部１４２ａの斜面と固定部材１５の対応ブロック部１５２ａの斜面の間の抵触により、ブロック部１４２ａが対応ブロック部１５２ａを超えさせて本体部１５１をスライドシュート１４１ａ，１４１ｂ内に完全に取り付けられる。更に、対応ブロック部１５２ａの斜面の底部がブロック部１４２ａの斜面の底部に抵触することにより、固定部材１５が水回収フック１と互いに位置合わせされる。つまり、対応ブロック部１５２ａ及びブロック部１４２ａにはそれぞれ斜面があるので、対応ブロック部１５２ａが自身の斜面とブロック部１４２ａの斜面と接触することによりブロック１４２ａを越え、ブロック部１４２ａを越えた後、対応ブロック部１５２ａの底部がブロック部１４２ａに押し付けることにより固定部材１５が水回収フック１と互いに位置合わせされる。引き部１５３は、使用者に押されることにより支え部１５２との間で平角が形成され、対応ブロック部１５２ａがブロック部１４２ａから離れて固定部材１５の本体部１５１がスライドシュート１４１ａ，１４１ｂから抜け出される。
【００２７】
図３に示されるように、本発明の実施例による改良型シャワーヘッド用水回収装置１００において、固定部材１５は壁に固定される。詳しくは、固定部材１５の本体部１５１が固定穴１５４ａ，１５４ｂを含み、ネジを固定穴１５４ａ，１５４ｂに締めることより固定部材１５を壁に固定することができる。もちろん、本発明はこの方法に限らず、固定部材１５を別の方法で壁に固定することができる。
【００２８】
図１ａ〜図３に示されるように、本発明の実施例による改良型シャワーヘッド用水回収装置１００において、排水部１３４は連接パイプ６と連接される。連接パイプ６は排水部１３４及びパイプＷと連接される。具体的には、連接パイプ６は嵌合部６１と留め具６２を含む。嵌合部６１はパイプＷの内側に嵌め、留め具６２はパイプＷの外縁を締め付けることにより、パイプＷが嵌合部６１と留め具６２の間で挟まれる。留め具６２の外周面にはねじ山があり、排水部１３４の内周壁にはねじ山があり（未図示）、留め具６２が、外周面のねじ山で排水部１３４の内壁管にあるねじ山と螺合することにより、排水部１３４と互いに位置合わせさせる。
【００２９】
図５及び図６に示されるように、本発明の第２実施例による改良型シャワーヘッド用水回収装置１００Ａにおいて、前記の実施例と違って、改良型シャワーヘッド用水回収装置１００Ａは壁に固定され、改良型シャワーヘッド用水回収装置１００Ａの排水部１３４は湾曲パイプ７と連接される。具体的には、排水部１３４の一端は湾曲パイプ７の一端の内側壁に取り付けされる。湾曲パイプ７が後に伸びる一端は外部蓋ＭとシンクＴのパイプと連接され、排水部１３４から流れ出す水をシンクＴに送る。湾曲パイプ７が後に伸びる一端の外周面にはねじ山があり、シンクＴの連接パイプと螺合することができる。外部蓋Ｍは湾曲パイプ７が後に伸びる一端で螺合してないねじ山部と壁でシンクＴが作業される連接パイプの範囲を覆うためのものである。
【００３０】
上記の構造により、本発明の実施例による改良型シャワーヘッド用水回収装置１００，１００Ａは、ソーラーエネルギーモジュール４により外部から光エネルギー収集し、光エネルギーを電エネルギーに変換して、定期的にバッテリーを交換する必要がなくなる上、温度センサーユニット２及び温度表示ユニット５に給電し、且つ温度センサーと温度モニターが電力がなくなったため作動しない状況にならないようにする。さらに、改良型シャワーヘッド用水回収装置１００，１００Ａはシャワーヘッドから流れ出す水を回収することができ、経済面と環境面における益を有する。また、前凸部３３の上表面３３ａに取り付けされるソーラーエネルギーモジュール４は、光エネルギーを効率的に収集できる。温度表示ユニット５は、上凸部３２の前方側の表面３２ａに取り付けられることにより、使用者は簡単に温度表示ユニット５に示された温度数値を知ることができる。固定部材１５は、ネジを固定穴１５４ａ，１５４ｂに締めることより固定部材１５を壁に固定することができる。水回収フック１はスライドシュート１４１ａ，１４１ｂにより固定部材１５の本体部１５１と摺り合せて、固定部材１５に固定されることができ、使用者にシャワーヘッドの置き場を提供する。なお、水回収フック１は、固定部材１５の引き部１５３を押すことにより、固定部材１５の本体部１５１がスライドシュート１４１ａ，１４１ｂから抜け出され、風呂場の壁から外すことができる。
【００３１】
本発明は、上記実施形態に限定されるものではない。上記実施形態は例示であり、本発明の特許請求の範囲に記載された技術的思想と実質的に同一の構成を有し、同様な効果を奏するいかなるものであっても本発明の技術的範囲に包含される。
【符号の説明】
【００３２】
１００    改良型シャワーヘッド用水回収装置
１００Ａ  改良型シャワーヘッド用水回収装置
１        水回収フック
１１      水受け部
１１ａ    前表面
１２      延伸部
１３      フック部
１３１    第一ブロック
１３２    第二ブロック
１３３    支持部
１３４    排水部
１４１ａ  スライドシュート
１４１ｂ  スライドシュート
１４２    スライドシュート進入端
１５      固定部材
１５１    本体部
１５１ａ  スライドレール
１５１ｂ  スライドレール
１５２    支え部
１５２ａ  対応ブロック部
１５３    引き部
１５４ａ  固定穴
１５４ｂ  固定穴
２        温度センサーユニット
３        取り付け部材
３１      接合部
３２      上凸部
３２ａ    前方側の表面
３３      前凸部
３３ａ    上表面
４        ソーラーエネルギーモジュール
５        温度モニターユニット
６        連接パイプ
６１      嵌合部
６２      留め具
７        湾曲パイプ
Ｈ        シャワーヘッド
Ｈ１      ネック
Ｍ        外部蓋
Ｓ        収容空間
Ｔ        シンク
Ｗ        パイプ
【図１ａ】
0006970327.tif 000002
【図１ｂ】
0006970327.tif 000003
【図２ａ】
0006970327.tif 000004
【図２ｂ】
0006970327.tif 000005
【図３】
0006970327.tif 000006
【図４】
0006970327.tif 000007
【図５】
0006970327.tif 000008
【図６】
0006970327.tif 000009